(57)【要約】【課題】  不慮の離脱を起こすことがなく、確実なロック状態を保持可能にすることができるとともに、簡単な操作で解除可能にすることができる光コネクタを提供する。【解決手段】  光ファイバ６０を収容する光コネクタ１０は、相手側部材４１に係止される係止突起１９を有するとともに、傾斜面２０を有する可撓係止片１８を備えて光ファイバ６０が収容されるハウジング１１と、係止突起解除片２５を有してハウジング１１にスライド自在に被着されるスライドカバー１２とを備えている。そして、ロック後にスライドカバー１２が相手側部材４１に向けて第１の方向にスライド進行されて係止突起解除片２５が傾斜面２０を押圧した際に、係止突起２９が相手側部材４１から係止解除されてスライドカバー１２が保持され、ハウジング１１が相手側部材４１から第２の方向へ引き抜かれて離脱される。【選択図】      図１
2009109627.tif 000002
【特許請求の範囲】
【請求項１】
光ファイバを収容する光コネクタであって、
相手側部材に係止される係止突起を有する可撓係止片を備えて前記光ファイバが収容されるハウジングと、
係止突起解除片を有して前記ハウジングにスライド自在に被着されるスライドカバーと、を備え、
前記ハウジングが前記相手側部材に向けて進行された際に、前記可撓係止片の前記係止突起が該相手側部材に係止されてロックされ、前記スライドカバーが前記相手側部材に向けて第１の方向にスライド進行され、前記係止突起解除片が該可撓係止片を押圧した際に、前記可撓係止片の該係止突起が該相手側部材から係止解除されて該スライドカバーが保持され、該ハウジングが前記相手側部材から第２の方向へ引き抜かれて離脱されることを特徴とする光コネクタ。
【請求項２】
前記ハウジングは、前記相手側部材に保持される補助突起が形成されていることを特徴とする請求項１に記載した光コネクタ。
【請求項３】
前記スライドカバーは、前記ハウジングに着脱自在に組み付けられていることを特徴とする請求項１または請求項２に記載した光コネクタ。
【請求項４】
前記スライドカバーは、前記ハウジングに対するスライドストロークが予め設定されていることを特徴とする請求項１乃至請求項３のいずれか一項に記載した光コネクタ。
【請求項５】
前記ハウジングは、ロック解除時に把持可能なハウジング側操作部が形成されており、
前記スライドカバーは、前記相手側部材に向けてスライドされる際に、前記ハウジング側操作部を挟持するように配置されたスライドカバー側操作部が形成されていることを特徴とする請求項１乃至請求項４のいずれか一項に記載した光コネクタ。
【請求項６】
前記スライドカバーは、前記相手側部材に向けてスライド進行される際に、前記係止突起解除片が該相手側部材内に進入されることを特徴とする請求項１乃至請求項５のいずれか一項に記載した光コネクタ。
【発明の詳細な説明】
【技術分野】
【０００１】
本発明は、例えば光コネクタに収納する光ファイバを切断する光コネクタに関する。
【背景技術】
【０００２】
光コネクタの一例として、図９に示すように、ハウジング７１にロックレバー７２と被操作部７３とを有し、スライドカバー７４に当接部７５を有する光コネクタ７０が知られている（例えば、特許文献１参照）。
【０００３】
上記の光コネクタ７０は、スライドカバー７４の引掛部７６を図９中の右方に引くと、当接部７５がハウジング７１の被操作部７３を下方と右方に押圧するために、ロックレバー７２が下方に弾性変形し、不図示の光モジュールの孔から離脱してロックが解除されるようにしている。
【０００４】
【特許文献１】特開２００５−１７３１７３号公報
【発明の開示】
【発明が解決しようとする課題】
【０００５】
ところが、上記特許文献１に開示された光コネクタ７０においては、ロックの解除時におけるスライドカバー７４の操作方向と光コネクタ７０の離脱方向とが同一方向であるため、被操作部７３に外力が加えられて、ロックレバー７２が下方に押圧された場合、ロックが解除されてしまう虞がある。
【０００６】
そこで本発明は、上述した事情に鑑みてなされたものであり、その目的は、不慮の離脱を起こすことがなく、確実なロック状態を保持可能にすることができるとともに、簡単な操作で解除可能にすることができる光コネクタを提供することである。
【課題を解決するための手段】
【０００７】
前記課題を解決することのできる本発明に係る光コネクタは、光ファイバを収容する光コネクタであって、相手側部材に係止される係止突起を有する可撓係止片を備えて前記光ファイバが収容されるハウジングと、係止突起解除片を有して前記ハウジングにスライド自在に被着されるスライドカバーとを備え、前記ハウジングが前記相手側部材に向けて進行された際に、前記可撓係止片の前記係止突起が該相手側部材に係止されてロックされ、前記スライドカバーが前記相手側部材に向けて第１の方向にスライド進行され、前記係止突起解除片が該可撓係止片を押圧した際に、前記可撓係止片の該係止突起が該相手側部材から係止解除されて該スライドカバーが保持され、該ハウジングが前記相手側部材から第２の方向へ引き抜かれて離脱されることを特徴としている。
【０００８】
このように構成された光コネクタによれば、スライドカバーが第１の方向へスライドされることでロックの解除が行われ、ハウジングが第２の方向へ引き抜かれることでハウジングが離脱されるため、ロックの解除時にスライドカバーの操作方向が光コネクタの離脱方向と同一方向ではなくなる。これにより、ハウジングの可撓係止片に外力が加えられたとしても、可撓係止片がロック解除方向に容易に押圧されることがなくなり、ロック解除されることはない。よって、不慮の離脱を起こすことがなく、確実なロック状態を保持可能にすることができるとともに、簡単な操作で解除可能にすることができる。
【０００９】
また、本発明に係る光コネクタにおいては、前記ハウジングは、前記相手側部材に保持される補助突起が形成されていることが好ましい。
【００１０】
このように構成された光コネクタによれば、ハウジングの補助突起が相手側部材に保持されることで、可撓係止片の係止を補助して強固な組付け構造を得ることができる。
【００１１】
また、本発明に係る光コネクタにおいては、前記スライドカバーは、前記ハウジングに着脱自在に組み付けられていることが好ましい。
【００１２】
このように構成された光コネクタによれば、スライドカバーがハウジングに着脱自在に組み付けられることで、組立作業を簡略化して作業効率の向上を図ることができる。
【００１３】
また、本発明に係る光コネクタにおいては、前記スライドカバーは、前記ハウジングに対するスライドストロークが予め設定されていることが好ましい。
【００１４】
このように構成された光コネクタによれば、スライドカバーが予め定められたスライドストロークでのみ移動することで、ロックの解除時に必要以上多くのストロークを動かすことがなくなり、操作を簡単に行うことができる。
【００１５】
また、本発明に係る光コネクタにおいては、前記ハウジングは、ロック解除時に把持可能なハウジング側操作部が形成されており、前記スライドカバーは、前記相手側部材に向けてスライドされる際に、前記ハウジング側操作部を挟持するように配置されたスライドカバー側操作部が形成されていることが好ましい。
【００１６】
このように構成された光コネクタによれば、ハウジングを相手側部材に向けてスライドさせる際に、スライドカバーのスライドカバー側操作部でハウジングのハウジング側操作部を挟持してハウジングとスライドカバーとが位置ずれしないようにして押圧することができる。また、ハウジングをロック解除させる際に、ハウジング側操作部を把持して簡単に引き抜くことができる。
【００１７】
また、本発明に係る光コネクタにおいては、前記スライドカバーは、前記相手側部材に向けてスライド進行される際に、前記係止突起解除片が該相手側部材内に進入されることが好ましい。
【００１８】
このように構成された光コネクタによれば、スライドカバーが相手側部材に向けてスライド進行される際に、係止突起解除片が相手側部材内に進入されることで、スライドカバーの移動ストロークを大きくして、可撓係止片の解除時における押込み位置の許容誤差を大きく確保することができる。
【発明の効果】
【００１９】
本発明に係る光コネクタによれば、光ファイバを収容する光コネクタにおいて、不慮の離脱を起こすことがなく、確実なロック状態を保持可能にすることができるとともに、簡単な操作で解除可能にすることができる光コネクタを提供できる。
【発明を実施するための最良の形態】
【００２０】
以下、図を参照して本発明の好適な実施形態を説明する。
【００２１】
図１乃至図８は本発明に係る光コネクタの一実施形態を示すもので、図１は本発明の一実施形態に係る光コネクタの外観斜視図、図２は図１の光コネクタにおける嵌合前の平面図、図３は図１の光コネクタにおける嵌合時の平面図、図４は図３における可撓係止片周りの一部破断縦断面図、図５は図３における補助突起周りの断面図、図６は図１の光コネクタにおける解除時の平面図、図７は図６における可撓係止片周りの一部破断縦断面図、図８は図１の光コネクタにおける解除後の平面図である。
【００２２】
図１に示すように、光コネクタ１０は、ハウジング１１と、スライドカバー１２とを備え、相手側部材である光送受信モジュール４０のアダプタ４１に接続される。
【００２３】
ハウジング１１は、四角柱形状のハウジング本体１３の中央部に光ファイバキャビティ１４が前後に貫通形成されており、この光ファイバキャビティ１４内に光ファイバ６０が収容されている。
【００２４】
ハウジング本体１３は、第１ボディ１５と、第１ボディ１５の前方に第１ボディ１５よりも小さい外形で連設された第２ボディ１６とを有する。
【００２５】
ハウジング本体１３は、第１ボディ１５上面の中央部から第２ボディ１６上面の中央部まで凹溝形状に切除された可撓係止片収容凹部１７が形成されている。この可撓係止片収容凹部１７に、可撓係止片収容凹部１７の基端部から第２ボディ１６の前端部までの長さを有する可撓係止片１８が収容されている。
【００２６】
可撓係止片１８は、先端部に係止突起１９が上方に向けて突出形成されており、この係止突起１９の後方側に、後方に行くに従って下方へ傾斜した傾斜面２０が形成されている。そして、可撓係止片１８は、その基端部が可撓係止片収容凹部１７の後部に片持ちに支持されているため、可撓係止片収容凹部１７内で下方に向けて弾性的に可撓される。
【００２７】
また、ハウジング本体１３は、第２ボディ１６上面の可撓係止片収容凹部１７の両側部に、一対の補助突起２１が突出形成されており、第２ボディ１６下面に、補助突起２１と対をなす補助突起２２（図５参照）が突出形成されている。補助突起２１，２２は、係止突起１９のように矩形に突出したものではなく、湾曲形状をなす小突起として形成されている。
【００２８】
また、ハウジング本体１３は、第１ボディ１５の前面に、一対のガイド突起２３がハウジング１１の嵌合方向に突出形成されており、第２ボディ１６の後面に、扇形状をなして握り易いハウジング側操作部２４が形成されている。ガイド突起２３は、光送受信モジュール４０側の不図示のガイド孔に装着される。
【００２９】
スライドカバー１２は、ハウジング１１の第１ボディ１５よりも僅かに大きいロ形状で、四角形の筒形状に形成されており、第１ボディ１５に対して、第１の方向である嵌合解除方向と、第１の方向に反対の第２の方向とにスライド自在に組み付けられている。このとき、スライドカバー１２は、ハウジング１１の前方から挿通して着脱自在に組み付けられるため、簡単に組み付けることができる。
【００３０】
また、スライドカバー１２は、前端部の中央部にＬ字形状で前方に向けて突出する係止突起解除片２５が形成されている。係止突起解除片２５は、スライドカバー１２がハウジング１１の第１ボディ１５に被着されることで、可撓係止片１８の傾斜面２０の後方側に組み込まれる。
【００３１】
ここで、光送受信モジュール４０のアダプタ４１は、ハウジング１１の第２ボディ１６よりも僅かに大きいロ形状で、四角形の筒形状に形成されており、その上板４２の中央部に、可撓係止片１８の係止突起１９が係合される係止突起係合孔４３が形成されている。また、上板４２の係止突起係合孔４３の両側部と下板４４にハウジング１１の補助突起２１，２２が係合される補助突起係合孔４５，４６が、それぞれ形成されている。
【００３２】
次に、図２乃至図５を参照して、光コネクタ１０の詳細構造および嵌合動作についてそれぞれ説明する。
【００３３】
図２に示すように、スライドカバー１２の後面には、一対の矢印形状で突出するスライドカバー側操作部２６が形成されている。スライドカバー側操作部２６は、スライドカバー１２が嵌合解除方向に進行される以前に、ハウジング側操作部２４にそれぞれ当接されることで、その後方側ストロークエンドが設定されている。スライドカバー１２の前方側ストロークエンドは、係止突起解除片２５が可撓係止片１８の係止突起１９に当接する位置である。そして、スライドカバー側操作部２６は、スライドカバー１２が嵌合解除方向に進行される際に、ハウジング側操作部２４を挟み込むように機能する。
【００３４】
図２に示す嵌合前では、ハウジング１１およびスライドカバー１２がアダプタ４１から離れており、スライドカバー１２は、ハウジング１１上の戻り位置Ａ１にあり、係止突起解除片２５は、可撓係止片１８の係止突起１９から離れた位置にある。
【００３５】
図３、図４に示すように、光コネクタ１０を嵌合させる際は、スライドカバー側操作部２６によってハウジング側操作部２４を挟み込むことで、ハウジング１１とスライドカバー１２とが一体的にアダプタ４１に向けて進行される。このとき、ハウジング１１の第２ボディ１６がアダプタ４１内に挿入され、可撓係止片１８が下方に向けて僅かに弾性変形してから弾性復帰することで、アダプタ４１の係止突起係合孔４３に係止され、補助突起２１がアダプタ４１の補助突起係合孔４５に係合される。
【００３６】
図５に示すように、第２ボディ１６の下面には、補助突起２１に対向配置された補助突起２２が突出形成されている。そして、可撓係止片１８がアダプタ４１の係止突起係合孔４３に係止された際に、補助突起２２がアダプタ４１の補助突起係合孔４６に係合される。
【００３７】
これにより、光コネクタ１０は、可撓係止片１８の係止突起１９がアダプタ４１の係止突起係合孔４３に係止され、補助突起２１，２２がアダプタ４１の補助突起係合孔４５、４６にそれぞれ係合されることで、光送受信モジュール４０に接続され、光ファイバ６０が光送受信モジュール４０側の不図示の光ファイバに光学的に接続される。
【００３８】
次に、図６乃至図８を参照して、光コネクタ１０の嵌合解除動作についてそれぞれ説明する。
【００３９】
図６、図７に示すように、光コネクタ１０の光送受信モジュール４０への接続を解除する必要が生じた際に、スライドカバー１２のスライドカバー側操作部２６を握りながら、スライドカバー１２がハウジング１１上の戻り位置Ａ１から作動位置Ａ２までスライド移動される。スライドカバー１２が作動位置Ａ２までスライド移動されることで、スライドカバー１２の係止突起解除片２５が、可撓係止片１８の傾斜面２０に乗り上がり、スライドカバー１２の進行に伴って可撓係止片１８を下方に向けて押圧する。このとき、スライドカバー１２はアダプタ４１に向けてスライド進行される際に、係止突起解除片２５がアダプタ４１に進入されることで、スライドカバー１２の移動ストロークをより大きくする。
【００４０】
そして、スライドカバー１２がハウジング１１上の作動位置Ａ２にある状態で、ハウジング１１のハウジング側操作部２４を握って、ハウジング１１を第１の方向とは反対の第２の方向へ引き抜くことで、可撓係止片１８の係止突起１９がアダプタ４１の係止突起係合孔４３から外れる。
【００４１】
図８に示すように、スライドカバー１２がハウジング１１上の作動位置Ａ２にあるままでハウジング１１が第２の方向へ引き抜かれることで、ハウジング１１の補助突起２１，２２がアダプタ４１の補助突起係合孔４５，４６から外れ、ハウジング１１がアダプタ４１から離脱される。
【００４２】
以上説明したように、本実施形態の光コネクタ１０によれば、スライドカバー１２が第１の方向へスライドされることでロックの解除が行われ、ハウジング１１が第１の方向とは反対の第２の方向へ引き抜かれることでハウジング１１が離脱される。これにより、ロック解除時のスライドカバー１２の操作方向が光コネクタ１０の離脱方向と同一方向ではなくなる。したがって、ハウジング１１の可撓係止片１８に外力が加えられたとしても、可撓係止片１８がロック解除方向に容易に押圧されることがなくなり、ロック解除されることがなくなる。よって、不慮の離脱を起こすことがなく、確実なロック状態を保持可能にすることができるとともに、簡単な操作で解除可能にすることができる。
【００４３】
また、本実施形態の光コネクタ１０によれば、ハウジング１１の補助突起２１，２２が相手側部材４１に保持されることで、可撓係止片２８の係止を補助し、仮に可撓係止片２８が係止解除されたとしても、容易に離脱することがない。
【００４４】
また、本実施形態の光コネクタ１０によれば、スライドカバー１２がハウジング１１に着脱自在に組み付けられることで、組立作業を簡略化して作業効率の向上を図ることができる。
【００４５】
また、本実施形態の光コネクタ１０によれば、スライドカバー１２が予め定められたスライドストロークでのみ移動することで、ロックの解除時に必要以上多くのストロークを動かすことがなくなり、操作を簡単に行うことができる。
【００４６】
また、本実施形態の光コネクタ１０によれば、ハウジング１１を相手側部材４１に向けてスライドさせる際に、スライドカバー１２のスライドカバー側操作部２６でハウジング１１のハウジング側操作部２４を挟持してハウジング１１とスライドカバー１２とが位置ずれしないようにして押圧することができる。また、ハウジング１１をロック解除させる際に、スライドカバー側操作部２６を押し込んだ状態のままハウジング側操作部２４を把持して簡単に引き抜くことができる。
【００４７】
また、本実施形態の光コネクタ１０によれば、スライドカバー１２が相手側部材４１に向けてスライド進行される際に、係止突起解除片２５が相手側部材４１内に進入されることで、スライドカバー１２の移動ストロークを大きくして、可撓係止片１８の解除時における押込み位置の許容誤差を大きく確保することができる。
【００４８】
なお、本発明に係る光コネクタは、前述した各実施形態に限定されるものではなく、適宜、変形や改良等が可能である。
【００４９】
例えば、収容される光ファイバは、図示した単一に限らず、複数本であっても良い。
【図面の簡単な説明】
【００５０】
【図１】本発明の一実施形態に係る光コネクタの外観斜視図である。
【図２】図１の光コネクタにおける嵌合前の平面図である。
【図３】図１の光コネクタにおける嵌合時の平面図である。
【図４】図３における可撓係止片周りの一部破断縦断面図である。
【図５】図３における補助突起周りの断面図である。
【図６】図１の光コネクタにおける解除時の平面図である。
【図７】図６における可撓係止片周りの一部破断縦断面図である。
【図８】図１の光コネクタにおける解除後の平面図である。
【図９】従来の光コネクタの断面図である。
【符号の説明】
【００５１】
１０  光コネクタ
１１  ハウジング
１２  スライドカバー
１８  可撓係止片
１９  係止突起
２０  傾斜面
２１  補助突起
２２  補助突起
２４  ハウジング側操作部
２５  係止突起解除片
２６  スライドカバー側操作部
４１  アダプタ（相手側部材）
６０  光ファイバ
【図１】
2009109627.tif 000003
【図２】
2009109627.tif 000004
【図３】
2009109627.tif 000005
【図４】
2009109627.tif 000006
【図５】
2009109627.tif 000007
【図６】
2009109627.tif 000008
【図７】
2009109627.tif 000009
【図８】
2009109627.tif 000010
【図９】
2009109627.tif 000011